(57)【特許請求の範囲】
【請求項１】
バッテリから給電を受ける電動モータと、前記バッテリへの充電を行う場合に外部給電設備に接続する充電用接続部とを備えた作業車であって、
前記充電用接続部を被覆する被覆位置に装着自在な電力供給状態切換用スイッチが備えられ、その電力供給状態切換用スイッチは、前記被覆位置に装着された状態で、キー部材の操作によって、前記バッテリから前記電動モータへの電力供給を可能とするＯＮ状態と前記バッテリから前記電動モータへの電力供給を不能とするＯＦＦ状態とに切換自在であり、且つ、前記被覆位置から取り外し自在に構成されている作業車。
【請求項２】
前記電力供給状態切換用スイッチは、前記キー部材の操作により、前記バッテリへの充電を行う充電状態に切換自在に構成され、前記電力供給状態切換用スイッチが前記充電状態以外の状態に切り換えられた場合に、前記電力供給状態切換用スイッチを前記被覆位置に装着した状態にロックし、且つ、前記電力供給状態切換用スイッチが前記充電状態に切り換えられた場合に、前記電力供給状態切換用スイッチを前記被覆位置に装着した状態でのロックを解除するロック手段が備えられている請求項１に記載の作業車。
【請求項３】
前記充電用接続部は、作業車本体の内方側に引退する内方位置とその内方位置よりも外方側に位置する外方位置とに移動自在に備えられ、前記電力供給状態切換用スイッチは、前記被覆位置に装着された状態で前記充電用接続部の内方位置から外方位置への移動を規制し、且つ、前記被覆位置から取り外された状態で前記充電用接続部の内方位置から外方位置への移動を許容するように備えられている請求項１又は２に記載の作業車。
【請求項４】
前記充電用接続部を外方位置側に付勢する付勢手段が備えられている請求項３に記載の作業車。
【請求項５】
前記充電用接続部が外方位置に位置する場合に前記充電接続部を位置保持する位置保持手段が備えられている請求項３又は４に記載の作業車。
【発明の詳細な説明】
【技術分野】
【０００１】
本発明は、バッテリから給電を受ける電動モータと、前記バッテリへの充電を行う場合に外部給電設備に接続する充電用接続部とを備えた作業車に関する。
【背景技術】
【０００２】
上記のような作業車として、従来、カッター等の作動部材を駆動するために電動モータが備えられた芝刈機等が知られている（例えば、特許文献１参照。）。この特許文献１に記載の作業車では、バッテリから電動モータへの電力供給を可能とするＯＮ状態とバッテリから電動モータへの電力供給を不能とするＯＦＦ状態とに切換自在な電力供給状態切換用スイッチが備えられ、充電用接続部は、電力供給状態切換用スイッチと間隔を隔てた位置に配置されている。そして、作業車にて作業を行う場合には、電力供給状態切換用スイッチのキー孔にキー部材を挿入して回動操作することにより、電力供給状態切換用スイッチをＯＦＦ状態からＯＮ状態に切り換え、バッテリから電動モータに給電して電動モータにてカッター等の作動部材を駆動している。バッテリへの充電を行う場合には、キー部材にて電力供給状態切換用スイッチをＯＦＦ状態とし、バッテリから電動モータへの電力供給を不能とした状態において、外部給電設備を充電用接続部に接続してバッテリへの充電を行っている。
【０００３】
また、特許文献１に記載の作業車では、バッテリから電動モータへの電力供給を可能とした状態でのバッテリへの充電を不能とするために、キー部材を回動操作して電力供給状態切換用スイッチをＯＮ状態に切り換えると、充電用接続部の一部をキー部材にて覆うようにして、充電用接続部に外部給電設備が接続されるのを防止している。
【先行技術文献】
【特許文献】
【０００４】
【特許文献１】特開平１０−１９１７５０号公報
【発明の概要】
【発明が解決しようとする課題】
【０００５】
上記特許文献１に記載の作業車では、電力供給状態切換用スイッチがＯＮ状態に切り換えられた場合に、充電用接続部の一部がキー部材にて覆われているものの、電力供給状態切換用スイッチがＯＦＦ状態に切り換えられている場合等、基本的には、充電用接続部は外部に露出されている。よって、充電用接続部が、風雨に曝されており、塵埃等の異物が侵入し易く、それに伴って、充電用接続部に対して外部給電設備を適切に接続できなくなる、或いは、充電用接続部の損傷を招くという問題を生じる。
【０００６】
また、上記のような作業車では、充電用接続部に外部給電設備を接続したまま、誤って作業車を始動させてしまうと、例えば、充電用接続部に外部給電設備を接続したまま、作業車を走行させてしまうことになり、充電用接続部と外部給電設備を接続するコード等の破損を招く等の問題も生じる。したがって、充電用接続部に外部給電設備を接続したまま、誤って作業車を始動させてしまうのを防止することも求められている。
【０００７】
本発明は、かかる点に着目してなされたものであり、その目的は、充電用接続部に対して外部給電設備を適切に接続できなくなる、或いは、充電用接続部の損傷を招くという問題の発生を防止することができ、しかも、充電用接続部に外部給電設備を接続したまま、誤って始動させてしまうのを防止することができる作業車を提供する点にある。
【課題を解決するための手段】
【０００８】
この目的を達成するために、本発明に係る作業車の特徴構成は、バッテリから給電を受ける電動モータと、前記バッテリへの充電を行う場合に外部給電設備に接続する充電用接続部とを備えた作業車において、
前記充電用接続部を被覆する被覆位置に装着自在な電力供給状態切換用スイッチが備えられ、その電力供給状態切換用スイッチは、前記被覆位置に装着された状態で、キー部材の操作によって、前記バッテリから前記電動モータへの電力供給を可能とするＯＮ状態と前記バッテリから前記電動モータへの電力供給を不能とするＯＦＦ状態とに切換自在であり、且つ、前記被覆位置から取り外し自在に構成されている点にある。
【０００９】
本特徴構成によれば、電力供給状態切換用スイッチが、充電用接続部を被覆する被覆位置に装着自在であるので、被覆位置に装着された電力供給状態切換用スイッチにて充電用接続部を覆うことができ、充電用接続部が外部に露出するのを防止することができる。したがって、充電用接続部が風雨に曝されるのを防止するとともに、充電用接続部に塵埃等の異物が侵入するのも防止することができ、充電用接続部に対して外部給電設備を適切に接続できなくなる、或いは、充電用接続部の損傷を招くという問題の発生を防止することができる。
そして、電力供給状態切換用スイッチは、被覆位置に装着できるだけでなく、その被覆位置から取り外し自在であるので、被覆位置から取り外すことで、充電用接続部に対して外部給電設備を接続できる状態とすることができる。よって、電力供給状態切換用スイッチが邪魔になることなく、バッテリへの充電を適切に行うことができる。
【００１０】
しかも、電力供給状態切換用スイッチは、被覆位置に装着された状態で、バッテリから電動モータへの電力供給を可能とするＯＮ状態とバッテリから電動モータへの電力供給を不能とするＯＦＦ状態とに切換自在なスイッチとなっている。これにより、電力供給状態切換用スイッチを被覆位置に装着しなければ、バッテリから電動モータへの電力供給を可能とするＯＮ状態に電力供給状態切換用スイッチを切り換えることができない。よって、充電用接続部に外部給電設備を接続したままでは、電力供給状態切換用スイッチが被覆位置から取り外されており、電力供給状態切換用スイッチをＯＮ状態に切り換えることができず、電動モータを駆動させることができない。その結果、充電用接続部に外部給電設備を接続したまま、誤って作業車を始動させてしまうのを防止することができる。
【００１１】
本発明に係る作業車の更なる特徴構成は、前記電力供給状態切換用スイッチは、前記キー部材の操作により、前記バッテリへの充電を行う充電状態に切換自在に構成され、前記電力供給状態切換用スイッチが前記充電状態以外の状態に切り換えられた場合に、前記電力供給状態切換用スイッチを前記被覆位置に装着した状態にロックし、且つ、前記電力供給状態切換用スイッチが前記充電状態に切り換えられた場合に、前記電力供給状態切換用スイッチを前記被覆位置に装着した状態でのロックを解除するロック手段が備えられている点にある。
【００１２】
本特徴構成によれば、ロック手段は、電力供給状態切換用スイッチが充電状態以外のＯＦＦ状態やＯＮ状態に切り換えられている場合に、電力供給状態切換用スイッチを被覆位置に装着した状態にロックするので、電力供給状態切換用スイッチのＯＮ状態とＯＦＦ状態との切り換えを行う際に、誤って電力供給状態切換用スイッチが被覆位置から外れてしまうこともなく、電力供給状態切換用スイッチのＯＮ状態とＯＦＦ状態との切り換えを適切に行うことができる。そして、ロック手段は、電力供給状態切換用スイッチが充電状態に切り換えられた場合に、電力供給状態切換用スイッチを被覆位置に装着した状態でのロックを解除するので、キー部材の操作によって電力供給状態切換用スイッチを充電状態に切り換えることで、電力供給状態切換用スイッチの被覆位置からの取り外しをも適切に行うことができる。しかも、バッテリへの充電を行う場合には、作業者によるキー部材の操作によって電力供給状態切換用スイッチを充電状態に切り換えなければ、被覆位置から電力供給状態切換用スイッチを取り外すことができないので、誤って被覆位置から電力供給状態切換用スイッチを取り外してしまうことがなく、適切な作業を行ってバッテリへの充電を行うことができる。
【００１３】
本発明に係る作業車の更なる特徴構成は、前記充電用接続部は、作業車本体の内方側に引退する内方位置とその内方位置よりも外方側に位置する外方位置とに移動自在に備えられ、前記電力供給状態切換用スイッチは、前記被覆位置に装着された状態で前記充電用接続部の内方位置から外方位置への移動を規制し、且つ、前記被覆位置から取り外された状態で前記充電用接続部の内方位置から外方位置への移動を許容するように備えられている点にある。
【００１４】
本特徴構成によれば、電力供給状態切換用スイッチを被覆位置に装着することで、その電力供給状態切換用スイッチによって充電用接続部の内方位置から外方位置への移動を規制するので、電力供給状態切換用スイッチを被覆位置に装着することで、充電用接続部を作業車本体の内方側の内方位置に適切に位置させて、充電用接続部の外部への露出を確実に防止できる。しかも、電力供給状態切換用スイッチを被覆位置から取り外すことで、充電用接続部の内方位置から外方位置への移動を許容するので、充電用接続部を外方位置に移動させて、外部給電設備の接続コード等を作業車本体の内方側まで延長させる等の作業が必要なく、充電用接続部に対する外部給電設備の接続を簡易に行うことができる。
【００１５】
本発明に係る作業車の更なる特徴構成は、前記充電用接続部を外方位置側に付勢する付勢手段が備えられている点にある。
【００１６】
上述の如く、充電用接続部を内方位置と外方位置とに移動自在に備える場合には、作業車本体の内方側に手を挿入させて、内方位置から外方位置に充電用接続部を引っ張り出さなければならないので、内方位置から外方位置に充電用接続部を移動させる方が作業者に負担がかかる。そこで、本特徴構成によれば、充電用接続部を外方位置側に付勢する付勢手段が備えることで、その付勢手段の付勢力を用いて、内方位置から外方位置への充電用接続部の移動を行うことができ、作業者の負担の軽減を図ることができる。
【００１７】
本発明に係る作業車の更なる特徴構成は、前記充電用接続部が外方位置に位置する場合に前記充電接続部を位置保持する位置保持手段が備えられている点にある。
【００１８】
上述の如く、充電用接続部を内方位置と外方位置とに移動自在に備える場合には、バッテリへの充電を行う際に、充電用接続部を外方位置に位置させて、その充電用接続部に外部給電設備を接続することになる。このとき、充電用接続部が内方位置側等に移動してしまうと、充電用接続部に対する外部給電設備の接続作業が行い難いものとなる。そこで、本特徴構成によれば、充電用接続部が外方位置に位置する場合に充電接続部を位置保持する位置保持手段が備えることで、外方位置に位置保持された充電用接続部に外部給電設備を接続すればよく、充電用接続部に対する外部給電設備の接続作業が行い易いものとなる。
【図面の簡単な説明】
【００１９】
【図１】農用トラクタの概略を示す側面図
【図２】農用トラクタの概略を示す平面におけるブロック図
【図３】農用トラクタの操縦部において被覆位置から電力供給状態切換用スイッチを取り外した状態での斜視図
【図４】電力供給状態切換用スイッチをＯＦＦ状態に切り換えて被覆位置に電力供給状態切換用スイッチを装着した状態での操縦部の断面図及び操縦部の正面図
【図５】電力供給状態切換用スイッチをＯＮ状態に切り換えて被覆位置に電力供給状態切換用スイッチを装着した状態での操縦部の断面図及び操縦部の正面図
【図６】電力供給状態切換用スイッチを充電状態に切り換えて被覆位置から電力供給状態切換用スイッチを取り外した状態での操縦部の断面図及び操縦部の正面図
【図７】別実施形態におけるロック手段を示す図
【発明を実施するための形態】
【００２０】
本発明に係る作業車の実施形態を図面に基づいて説明する。
本発明に係る作業車が、図１及び図２に示すように、電動式の農用トラクタ１に適応されており、この農用トラクタ１は、農用トラクタ１を駆動させる原動部としての電動モータ２（例えば、交流モータ）と、その電動モータ２に給電自在なバッテリ３とを備えている。
【００２１】
農用トラクタ１は、電動モータ２とミッションケース４が、板金製のハウジングフレーム５を介して連結された構造となっており、電動モータ２の下部から前方に延出された前フレーム６に操向用の前輪７が支持されている。電動モータ２から取り出される回転力は、減速機を兼ねたギアケース８から、座席シート９の下方に配置された駆動軸１０を経由してミッションケース４に伝達されている。ミッションケース４の後部に配置されたデフケース１１の左右に走行用の後輪１２が装着されており、そのデフケース１１の後面からＰＴＯ出力軸１３が後ろ向きに突設されている。デフケース１１の上部に連結されたシリンダケース１４によって油圧駆動されるリフトアーム１５が、作業装置連結用の３点リンク機構１６の昇降操作を行う。
【００２２】
ミッションケース４には、電動モータ２の回転動力を、後輪１２に駆動するための走行出力軸（図示省略）と、耕耘装置等の作業装置を駆動するためのＰＴＯ出力軸１３とに分割する動力分割手段（図示省略）を備えている。動力分割手段は、例えば、電動モータ２の回転軸と連結された太陽ギアと、この太陽ギアの内歯と同時に噛合する２つの遊星ギアとで構成することができる。第１の遊星ギアによって取り出される回転力は、座席シート９の横側部等に備えられた変速レバー１７を介して操作される前後進切換用及び変速用のギア列（図示省略）とデフケース１１とを経由して、後輪１２のみ又は前輪７及び後輪１２の双方に伝達されている。第２の遊星ギアによって取り出される回転力は、座席シート９の横側部等に備えられたＰＴＯ操作レバー１８を介して操作されるＰＴＯクラッチ（図示省略）を経由して、ＰＴＯ出力軸１３に伝達されている。
【００２３】
電動モータ２の後方にはステアリング１９や各種の表示部等を備えた操縦部２０が配置され、その操縦部２０の後方には運転用の座席シート９が配置され、電動モータ２の前方にはその電動モータ２に給電するためのバッテリ３が配置されている。バッテリ３の電力は、電動モータ２に隣接配置されたインバータ付きの給電回路２１を介して電動モータ２に給電されるように構成されている。そして、バッテリ３に充電するために、外部給電設備２２の外部側接続部２３に接続する充電用接続部２４（例えば、充電用プラグ）が備えられ、外部給電設備２２の外部側接続部２３に接続された充電用接続部２４に給電される電力は、充電回路２５を介してバッテリ３に充電されるように構成されている。
【００２４】
本実施形態では、図１及び図２に示すように、充電用接続部２４が、操縦部２０のステアリング１９の右側部に配置された電力供給状態切換用スイッチ２６にて覆われるように配置されている。この電力供給状態切換用スイッチ２６は、キー部材２９の操作によって、バッテリ３から電動モータ２への電力供給を可能とするＯＮ状態とバッテリ３から電動モータ２への電力供給を不能とするＯＦＦ状態とに切換自在であり、農用トラクタ１を駆動するための始動スイッチとなっている。
【００２５】
以下、充電用接続部２４と電力供給状態切換用スイッチ２６について説明する。
図３〜図６に示すように、充電用接続部２４は、操縦部２０の内方側（作業車本体の内方側に相当する）に備えられ、電力供給状態切換用スイッチ２６は、その充電用接続部２４を被覆する被覆位置に装着自在であるとともに、その被覆位置から取り外し自在に構成されている。図３は、電力供給状態切換用スイッチ２６を被覆位置から取り外した状態での斜視図を示している。図４は、電力供給状態切換用スイッチ２６をＯＦＦ状態とし、電力供給状態切換用スイッチ２６を被覆位置に装着した状態を示している。図５は、電力供給状態切換用スイッチ２６をＯＮ状態とし、電力供給状態切換用スイッチ２６を被覆位置に装着した状態を示している。図６は、電力供給状態切換用スイッチ２６を被覆位置から取り外した状態を示している。図４〜図６において、（ａ）は操縦部２０の断面図であり、（ｂ）は操縦部２０の正面図である。
【００２６】
操縦部２０における被覆位置には、図３に示すように、操縦部２０の内方側に凹入する装着用凹部２７が形成されており、図４（ａ）及び図５（ａ）に示すように、装着用凹部２７には、その装着用凹部２７の奥行き方向の奥側（図４（ａ）及び図５（ａ）中Ｘ１方向側、作業業車本体の内方側に相当する）に充電用接続部２４が挿入されて装着され、その充電用接続部２４よりも奥行き方向の手前側（図４（ａ）及び図５（ａ）中Ｘ２方向側）に電力供給状態切換用スイッチ２６が挿入されて装着自在に構成されている。そして、図３及び図６（ａ）に示すように、その装着用凹部２７から電力供給状態切換用スイッチ２６を抜き出すことで、電力供給状態切換用スイッチ２６を被覆位置から取り外し自在に構成されている。電力供給状態切換用スイッチ２６は、紐状体等の連結体４４により操縦部２０に連結されており、被覆位置から取り外した場合でも、電力供給状態切換用スイッチ２６の紛失を防止している。
【００２７】
被覆位置は、装着用凹部２７の奥行き方向の手前側から奥側に向かう方向（図４（ａ）及び図５（ａ）中Ｘ１方向、図４（ｂ）及び図５（ｂ）中紙面の表側から裏側に向かう方向）において、被覆位置に装着される電力供給状態切換用スイッチ２６と充電用接続部２４（図４（ｂ）及び図５（ｂ）中点線参照）とが重なる位置であり、且つ、その装着用凹部２７の奥行き方向の手前側から奥側に向かう方向視において、充電用接続部２４の全体を、電力供給状態切換用スイッチ２６にて覆う位置に設定されている。これにより、電力供給状態切換用スイッチ２６が被覆位置に装着されている場合には、充電用接続部２４の外方側の全体が、電力供給状態切換用スイッチ２６にて覆われており、充電用接続部２４を車両の外部に露出せずに、充電用接続部２４が風雨に曝されることなく、充電用接続部２４への塵埃等の異物の侵入を防止している。
【００２８】
電力供給状態切換用スイッチ２６は、図３及び図４（ａ）に示すように、円柱状に形成されて装着用凹部２７に挿脱自在な挿脱部位２６ａと、装着用凹部２７の開口を閉塞する閉塞部位２６ｂとを備えている。閉塞部位２６ｂは、挿脱部位２６ａよりも大径の円盤状部位とその径方向の外側端部位を挿脱部位２６ａ側に折り曲げた折曲部位とを備えた断面形状がコ字状（図４（ａ）参照）に形成されている。
【００２９】
装着用凹部２７は、その奥行き方向の手前側から順に（図４（ａ）及び図５（ａ）中Ｘ１方向）、第１部位２７ａ、第２部位２７ｂ、第３部位２７ｃ、第４部位２７ｄの複数の部位を備えている。第１部位２７ａは、電力供給状態切換用スイッチ２６の挿脱部位２６ａと同じ径を有する円形状に形成されており、第２部位２７ｂは、中空部位を第１部位２７ａよりも周方向の下方側に広げた形状に形成されている。第４部位２７ｄは、矩形状に形成された充電用接続部２４と同じ幅を有する矩形状に形成されており、第３部位２７ｃは、中空部位を第４部位２７ｄよりも周方向の下方側に広げた形状に形成されている。
ここで、充電用接続部２４の形状については、矩形状に限らず、例えば、円柱状に形成することもでき、この場合には、装着用凹部２７の第４部位２７ｄも円形状に形成することができる。
【００３０】
電力供給状態切換用スイッチ２６の挿脱部位２６ａが第１部位２７ａ及び第２部位２７ｂに亘って摺動自在に備えられている。これにより、挿脱部位２６ａを装着用凹部２７に挿入させることで、挿脱部位２６ａを第１部位２７ａ及び第２部位２７ｂに亘って摺動させて、充電用接続部２４を被覆する被覆位置に電力供給状態切換用スイッチ２６を装着している。操縦部２０において装着用凹部２７の周部には、車体の外方側に突出する突出部２８が備えられている。電力供給状態切換用スイッチ２６を被覆位置に装着させる場合には、その突出部２８を挿脱部位２６ａと閉塞部位２６ｂとにより挟み込み且つその突出部２８の先端部を閉塞部位２６ｂに当接させている。また、挿脱部位２６ａを第１部位２７ａ及び第２部位２７ｂに亘って摺動させて、挿脱部位２６ａを装着用凹部２７から抜き取ることで、被覆位置から電力供給状態切換用スイッチ２６を取り外している。
【００３１】
電力供給状態切換用スイッチ２６は、被覆位置に装着された状態において、キー部材２９の操作によって、バッテリ３から電動モータ２への電力供給を可能とするＯＮ状態とバッテリ３から電動モータ２への電力供給を不能とするＯＦＦ状態とに切換自在に構成されている。電力供給状態切換用スイッチ２６には、図３〜５に示すように、キー部材２９を挿脱自在なキー孔３０が形成されており、そのキー孔３０にキー部材２９を挿入させた状態でキー部材２９を回動操作することで、装着用凹部２７内で電力供給状態切換用スイッチ２６自体を回動させてＯＮ状態とＯＦＦ状態とに切換自在に構成されている。つまり、電力供給状態切換用スイッチ２６の挿脱部位２６ａには、その周方向の所定位置（例えば、キー孔３０に対応する位置）にスイッチ側接点３１が備えられ、装着用凹部２７の内壁部には、その周方向の所定位置（例えば、「入」に対応する位置）に車体側接点３２が備えられており、この接点同士が接触するか否かによりＯＮ状態とＯＦＦ状態とに切換自在となっている。図４に示すように、キー孔３０が「切」に対応する位置に存在する場合には、スイッチ側接点３１と車体側接点３２とが離れており、電力供給状態切換用スイッチ２６がＯＦＦ状態に切り換えられている。また、図５に示すように、キー孔３０及びキー部材２９が「入」に対応する位置に存在する場合には、スイッチ側接点３１と車体側接点３２とが接触されて、電力供給状態切換用スイッチ２６がＯＮ状態に切り換えられる。キー孔３０に対するキー部材２９の抜き差しについては、キー孔３０が「切」に対応する位置に存在する場合に、キー孔３０に対してキー部材２９を抜き差し可能に構成されている。
【００３２】
ここで、図示は省略するが、キー孔３０にキー部材２９が挿入されていない状態での電力供給状態切換用スイッチ２６自体の回動を阻止するための阻止手段が備えられている。この阻止手段は、例えば、キー孔３０にキー部材２９が挿入されていない場合には、電力供給状態切換用スイッチ２６に係合して電力供給状態切換用スイッチ２６自体の回動を阻止するとともに、キー孔３０にキー部材２９が挿入されることでキー部材２９等に押圧されて電力供給状態切換用スイッチ２６に対する係合を解除可能な係止ピン等を備えて構成することができる。
【００３３】
これにより、農用トラクタ１を駆動させる場合には、キー孔３０にキー部材２９を挿入して回動操作することで、キー孔３０及びキー部材２９を「入」に対応する位置に回動させて電力供給状態切換用スイッチ２６をＯＮ状態に切り換え、バッテリ３から電動モータ２への電力供給を開始して電動モータ２を駆動させて農用トラクタ１を駆動させている。
【００３４】
電力供給状態切換用スイッチ２６は、キー孔３０に挿入されたキー部材２９の回動操作によって、「入」及び「切」に対応する位置に加えて、「充電」に対応する位置にも回動自在に構成されている。電力供給状態切換用スイッチ２６では、回動方向の時計回りで、「充電」、「切」、「入」の順に並ぶように配置されている。そして、キー部材２９の回動操作によって、キー部材２９及びキー孔３０が「充電」に対応する位置に存在する場合に、電力供給状態切換用スイッチ２６がバッテリ３への充電を行う充電状態に切り換えられる。ここで、「切」に対応する位置から「充電」に対応する位置への回動操作については、キー孔３０の回動を規制する等により、そのままキー部材２９を回動操作しても、「切」に対応する位置から「充電」に対応する位置へ回動できず、キー部材２９及びキー孔３０を装着用凹部２７の奥行き方向の奥側に押し込むことで、「切」に対応する位置から「充電」に対応する位置への回動を行えるようにしている。これにより、キー部材２９及びキー孔３０を「充電」に対応する位置まで誤って回動操作してしまうのを防止している。
【００３５】
電力供給状態切換用スイッチ２６は、上述の如く、被覆位置に装着自在であるとともに、その被覆位置から取り外し自在であるので、図６（ａ）に示すように、バッテリ３への充電を行う場合には、電力供給状態切換用スイッチ２６を被覆位置から取り外すことで、充電用接続部２４に対して外部給電設備２２の外部側接続部２３を接続できるようにしている。そして、バッテリ３への充電を行わない場合には、被覆位置に対して電力供給状態切換用スイッチ２６を位置保持するために、図３〜図５に示すように、ロック手段３３が備えられている。
【００３６】
ロック手段３３は、電力供給状態切換用スイッチ２６の挿脱部位２６ａにおける周方向の所定位置に備えられた突起部３４と、車体側である操縦部２０の装着用凹部２７の内周部に備えられた凹状のロック用溝部３５とを備えて構成されている。このロック用溝部３５は、装着用凹部２７の内壁部の周方向に沿って形成されている。そのロック用溝部３５内に突起部３４を係合させることで、電力供給状態切換用スイッチ２６の装着用凹部２７の奥行き方向での移動を規制して、電力供給状態切換用スイッチ２６を被覆位置に装着した状態にロックしている。そして、装着用凹部２７の内壁部には、その周方向の所望位置（例えば、「充電」に対応する位置）にロック用溝部３５に連なる状態で奥行き方向に延びる凹状の突起部挿脱用溝部３６が形成されている。その突起部挿脱用溝部３６内に突起部３４を係合させることで、電力供給状態切換用スイッチ２６の装着用凹部２７の奥行き方向での移動を許容して、電力供給状態切換用スイッチ２６を被覆位置に装着した状態でのロックを解除している。このようにして、ロック手段３３は、電力供給状態切換用スイッチ２６が充電状態以外の状態に切り換えられた場合に、突起部３４をロック用溝部３５内に係合させて、電力供給状態切換用スイッチ２６を被覆位置に装着した状態にロックし、且つ、電力供給状態切換用スイッチ２６が充電状態に切り換えられた場合に、突起部３４を突起部挿脱用溝部３６内に係合させて、電力供給状態切換用スイッチ２６を被覆位置に装着した状態でのロックを解除するように構成されている。
【００３７】
充電用接続部２４は、装着用凹部２７内に固定されているのではなく、図４（ａ）及び図５（ａ）に示すように車体の内方側に引退する内方位置と、図６（ａ）に示すようにその内方位置よりも外方側に位置する外方位置とにスライド移動自在に備えられている。充電用接続部２４は、装着用凹部２７を摺動することで、内方位置と外方位置との間でスライド移動するように備えられており、内方位置と外方位置との間での充電用接続部２４の移動が電力供給状態切換用スイッチ２６によって規制されている。つまり、電力供給状態切換用スイッチ２６は、図４（ａ）及び図５（ａ）に示すように、充電用接続部２４に当接することで、被覆位置に装着された状態で充電用接続部２４の内方位置から外方位置への移動を規制している。このとき、充電用接続部２４の端子２４ａ等は、装着用凹部２７の奥行き方向で電力供給状態切換用スイッチ２６の奥側端部に形成された凹状の収納部３９に収納自在に構成されている。そして、電力供給状態切換用スイッチ２６は、図６（ａ)に示すように、被覆位置から取り外された状態で充電用接続部２４の内方位置から外方位置への移動を許容するように構成されている。
【００３８】
充電用接続部２４には、車体（作業車本体）の内方側端部に充電用コード３７が接続されている。装着用凹部２７の奥行き方向の奥側端部と充電用接続部２４との間に、充電用接続部２４を車体の外方側に付勢する付勢手段３８（例えば、付勢バネ等の弾性体）が備えられ、この付勢手段３８の付勢力によって充電用接続部２４が外方位置側に付勢されている。これにより、図６（ａ)に示すように、電力供給状態切換用スイッチ２６が被覆位置から取り外された場合に、付勢手段３８の付勢力によって、充電用接続部２４が内方位置から外方位置へ移動する。
【００３９】
また、充電用接続部２４が外方位置に位置する場合に、その充電用接続部２４を外方位置に位置保持する位置保持手段４０が備えられている。この位置保持手段４０は、その基端部が装着用凹部２７の第１部位２７ａの内壁部等に支持され、装着用凹部２７の奥行き方向の手前側から奥側に延びる弾性変形自在な延設体４１にて構成されている。延設体４１の先端部には、傾斜部４２と係合部４３とが備えられている。図４（ａ）から図６（ａ）に示す状態に移行させるべく、充電用接続部２４が内方位置から外方位置に移動する場合に、充電用接続部２４が傾斜部４２を摺動することで、内方位置から外方位置への充電用接続部２４の移動を延設体４１にて阻害しないようにしている。そして、図６（ａ）に示すように、充電用接続部２４が外方位置に移動した場合に、係合部４３が充電用接続部２４の奥側端部に係合することで、装着用凹部２７の奥行き方向の奥側への充電用接続部２４の移動を規制して充電用接続部２４を外方位置に位置保持している。これにより、外部給電設備２２の外部側接続部２３を充電用接続部２４に接続する際に、充電用接続部２４の移動を規制することができ、充電用接続部２４への外部側接続部２３の接続を簡易に且つ適切に行うことができる。また、延設体４１は、弾性変形自在に構成されている。これにより、図４（ａ）及び図５（ａ）に示すように、被覆位置に電力供給状態切換用スイッチ２６を装着する際に、装着用凹部２７に電力供給状態切換用スイッチ２６を挿入すると、電力供給状態切換用スイッチ２６にて延設体４１が下方側に押圧されて弾性変性し、装着用凹部２７の第２部位２７ｂ及び第３部位２７ｃにおいて下方側に広げた中空部位に収納される姿勢に弾性変形自在に構成されている。したがって、被覆位置に電力供給状態切換用スイッチ２６を装着する際に、装着用凹部２７への電力供給状態切換用スイッチ２６の挿入を延設体４１にて阻害されることなく、電力供給状態切換用スイッチ２６を適切に被覆位置に装着することができる。
【００４０】
以下、バッテリ３への充電を行う場合の手順について説明する。
例えば、農用トラクタ１を駆動させている状態からバッテリ３への充電を行う場合には、まず、図５から図４に示す状態に移行させるべく、キー部材２９を「入」に対応する位置から「切」に対応する位置まで回動操作して、電力供給状態切換用スイッチ２６をＯＮ状態からＯＦＦ状態に切り換えて、バッテリ３から電動モータ２への電力供給を不能とし、電動モータ２を駆動停止させる。これにより、バッテリ３から電動モータ２への電力供給を不能とした状態でバッテリ３への充電を行うことができる。次に、キー部材２９を装着用凹部２７の奥行き方向の奥側に押し込んで、図４から図６に示す状態に移行させるべく、「切」に対応する位置から「充電」に対応する位置にキー部材２９を回動操作する。これに伴って、突起部３４が突起部挿脱用溝部３６内に係合されて、ロック手段３３による電力供給状態切換用スイッチ２６を被覆位置に装着した状態へのロックが解除され、電力供給状態切換用スイッチ２６を被覆位置から取り外し可能となる。そして、装着用凹部２７から電力供給状態切換用スイッチ２６を取り外すことで、充電用接続部２４が付勢手段３８の付勢力により内方位置から外方位置に移動して、位置保持手段４０によって充電用接続部２４が外方位置に位置保持される。このようにして、位置保持手段４０により外方位置に位置保持された充電用接続部２４に対して外部給電設備２２の外部側接続部２３を接続することで、バッテリ３への充電を行うことができる。そして、充電用接続部２４に外部給電設備２２を接続している場合には、電力供給状態切換用スイッチ２６が取り外されているので、その電力供給状態切換用スイッチ２６をＯＮ状態に切り換えることができず、誤って農用トラクタ１を始動させてしまうことがない。
【００４１】
次に、バッテリ３への充電が完了した状態から農用トラクタ１を駆動させる場合の手順について説明する。
まず、取り外した電力供給状態切換用スイッチ２６を装着用凹部２７に挿入させて、電力供給状態切換用スイッチ２６にて充電用接続部２４を装着用凹部２７の奥行き方向の奥側に押し込んで外方位置から内方位置に移動させるとともに、電力供給状態切換用スイッチ２６を被覆位置に装着させる。そして、図６から図４に示す状態に移行させるべく、キー部材２９を「充電」に対応する位置から「切」に対応する位置に回動操作する。この回動操作により、突起部３４がロック用溝部３５内に係合されてロック手段３３により電力供給状態切換用スイッチ２６を被覆位置に装着した状態にロックする。キー部材２９を「切」に対応する位置から「入」に対応する位置に回動操作して、電力供給状態切換用スイッチ２６をＯＦＦ状態からＯＮ状態に切り換えて、バッテリ３から電動モータ２への電力供給を可能とし、電動モータ２を駆動させて農用トラクタ１を駆動させる。
【００４２】
〔別実施形態〕
（１）上記実施形態では、ロック手段３３が、突起部３４とロック用溝部３５を備えて構成されている。これに代えて、例えば、図７に示すように、ロック手段３３を、ロックピン４５とそのロックピン４５が係合自在な凹状の係合部４６とを備えて構成することもできる。
【００４３】
この場合には、例えば、装着用凹部２７の周方向の所定位置（例えば、「充電」に対応する位置）に、その径方向の内方側に出退自在にロックピン４５を備え、コイルバネ等の弾性体４７によりロックピン４５を突出側に付勢する。電力供給状態切換用スイッチ２６の挿脱部位２６ａの周部の所定位置（例えば、「充電」に対応する位置以外の位置）に、その周方向に沿って延びるように係合部４６を形成する。そして、キー部材２９及びキー孔３０が「充電」に対応する位置以外に存在する場合に、ロックピン４５が係合部４６に係合して、電力供給状態切換用スイッチ２６の装着用凹部２７の奥行き方向での移動を規制して、電力供給状態切換用スイッチ２６を被覆位置に装着した状態にロックしている。また、キー部材２９及びキー孔３０が「充電」に対応する位置に存在する場合に、電力供給状態切換用スイッチ２６の挿脱部位２６ａの周部によりロックピン４５が引退側に押圧されて、ロックピン４５が係合部４６から離脱して、電力供給状態切換用スイッチ２６の装着用凹部２７の奥行き方向での移動を許容して、電力供給状態切換用スイッチ２６を被覆位置に装着した状態でのロックを解除している。
【００４４】
（２）上記実施形態では、装着用凹部２７内で電力供給状態切換用スイッチ２６自体を回動自在に構成している。これに代えて、例えば、電力供給状態切換用スイッチ２６を、筒状体とその筒状体の内部で回動自在な回動体とを備えて構成することもできる。この場合には、筒状体を装着用凹部２７に挿入して固定させ、回動体に形成するキー孔３０にキー部材２９を挿入することで筒状体に対して回動体を回動させて、「入」に対応する位置等の所定位置にキー孔３０及びキー部材２９を回動させることができる。そして、筒状体の周壁部に貫通溝を形成し、この貫通溝を通して筒状体を貫通する状態でスイッチ側接点３１や突起部３４を回動体の外周部に備えることで、上記実施形態と同様に、電力供給状態切換用スイッチ２６をＯＦＦ状態とＯＮ状態と充電状態とに切換自在に構成できるとともに、ロック手段３３を備えることができる。
【００４５】
（３）上記実施形態では、電動モータ２を農用トラクタ１の原動部として備え、エンジンを備えずに、電動モータ２の回転動力によって、農用トラクタ１を走行自在に且つＰＴＯ出力軸１３を回転自在に構成している。これに代えて、例えば、農用トラクタ１を走行させるための原動部としてエンジンを備えるとともに、ＰＴＯ出力軸１３を回転駆動させるための原動部として電動モータを備えることもできる。また、電動モータを１つ備えるのではなく、農用トラクタ１を走行させるための原動部としての電動モータとＰＴＯ出力軸１３を回転駆動させるための原動部として電動モータとの２つの電動モータを備えることもできる。
【００４６】
（４）上記実施形態では、本発明に係る作業車として、農用トラクタ１を例示したが、この農用トラクタに限るものではなく、例えば、コンバイン等の農作業車、土木用作業車、建設用作業車等の各種の作業車に適応することができる。
【産業上の利用可能性】
【００４７】
本発明は、バッテリから給電を受ける電動モータと、前記バッテリへの充電を行う場合に外部給電設備に接続する充電用接続部とを備え、充電用接続部に対して外部給電設備を適切に接続できなくなる、或いは、充電用接続部の損傷を招くという問題の発生を防止することができ、しかも、充電用接続部に外部給電設備を接続したまま、誤って始動させてしまうのを防止することができる各種の作業車に適応可能である。
【符号の説明】
【００４８】
２          電動モータ
３          バッテリ
２２        外部給電設備
２４        充電用接続部
２６        電力供給状態切換用スイッチ
２９        キー部材
３３        ロック手段
３８        付勢手段
４０        位置保持手段
【図１】
0005592857.tif 000002
【図２】
0005592857.tif 000003
【図３】
0005592857.tif 000004
【図４】
0005592857.tif 000005
【図５】
0005592857.tif 000006
【図６】
0005592857.tif 000007
【図７】
0005592857.tif 000008